(57)【特許請求の範囲】
【請求項１】
ランプソケットを設けた器具本体（器体という）と、前記ランプソケットに装着されるランプ口金部を有するランプと、前記器体に設けられて前記ランプの周囲を囲む反射鏡とを備えた照明器具において、
前記ランプソケット付近を、器体内外の空気流動をほぼ生じない程度に器体にて覆うと共に、該器体にランプ口金部付近に近接させた近接部を形成し、
前記近接部は、ランプ口金部の周囲を囲むように設けられ、
複数の前記ランプソケットを備えると共に、前記器体は、これら複数のランプソケットに装着されたランプを一体的に覆い、かつ器体の前記近接部を複数のランプソケット毎に筒状に形成し、これら複数の筒状の近接部を壁部材により互いに連結したことを特徴とする照明器具。
【請求項２】
前記複数の筒状の近接部を連結する複数の壁部材の各々は、一端側が一の近接部の器体中心寄りから延出され他端側が隣の近接部の外周寄りに連結されたことを特徴とする請求項１記載の照明器具。
【請求項３】
ランプソケットを設けた器具本体（器体という）と、前記ランプソケットに装着されるランプ口金部を有するランプと、前記器体に設けられて前記ランプの周囲を囲む反射鏡とを備えた照明器具において、
前記ランプソケット付近を、器体内外の空気流動をほぼ生じない程度に器体にて覆うと共に、該器体にランプ口金部付近に近接させた近接部を形成し、
前記近接部は、ランプ口金部の周囲を囲むように設けられ、
複数の前記ランプソケットを備えると共に、前記器体は、これら複数のランプソケットに装着されたランプを一体的に覆い、かつ器体の前記近接部を複数のランプソケット毎に筒状に形成し、複数の近接部の器体中心側空間に、ランプソケット取付け面に当接して熱を伝導する熱伝導部を設けたことを特徴とする照明器具。
【発明の詳細な説明】
【技術分野】
【０００１】
本発明は、ダウンライト、可変配光型照明器具などに適用される照明器具に関する。
【背景技術】
【０００２】
従来の天井埋め込み型照明器具は、有天筒形の器具本体の内天面にランプソケットを設け、ランプソケットにランプのランプ口金部を装着し、ランプの周囲を囲むように反射鏡を設けたものが一般的に知られている。そして、ランプ口金部の温度上昇を低減するため、反射鏡のランプが通過する部分の開口径を大きくとり、空気の対流を促進させるようにしたものがある。しかし、このような器具構成では、反射鏡の開口径が大きくなり、器具の形状が複雑かつ、大型化し、製造コストが多大になる。
【０００３】
そこで、反射鏡の開口径を大きくすることなく、ランプ口金部の温度上昇を抑制するために、ランプ口金部を囲むようにヒートシンクを器具本体に設けて、ランプ光熱によるランプベース部の温度上昇を抑制するようにした照明器具が提案されている（特許文献１参照）。この照明器具には、ランプ室内つまり反射鏡内の器具下面からの空気の対流はないようにしている。
【先行技術文献】
【特許文献】
【０００４】
【特許文献１】特開２０００−３４８５３１号公報
【発明の概要】
【発明が解決しようとする課題】
【０００５】
しかし、特許文献１に示される照明器具においては、ヒートシンクがランプ口金部を囲むように設けられているが、ヒートシンクをランプ口金部に積極的に近接させるという思想は示されていない。そのため、ランプ口金部の熱をその周囲全体から器体に伝導することは十分ではなく、ランプソケット部の放熱が不十分になる場合がある。
【０００６】
本発明は、上記問題を解消するものであって、器具を小型化しつつ、ランプ口金部の器体への熱伝導効率を上げ、ランプベース部全体の温度上昇を効果的に抑制できる照明器具を提供することを目的とする。
【課題を解決するための手段】
【０００７】
上述目的を達成するため、請求項１の発明は、ランプソケットを設けた器具本体（器体という）と、前記ランプソケットに装着されるランプ口金部を有するランプと、前記器体に設けられて前記ランプの周囲を囲む反射鏡とを備えた照明器具において、前記ランプソケット付近を、器体内外の空気流動をほぼ生じない程度に器体にて覆うと共に、該器体にランプ口金部付近に近接させた近接部を形成し、前記近接部は、ランプ口金部の周囲を囲むように設けられ、複数の前記ランプソケットを備えると共に、前記器体は、これら複数のランプソケットに装着されたランプを一体的に覆い、かつ器体の前記近接部を複数のランプソケット毎に筒状に形成し、これら複数の筒状の近接部を壁部材により互いに連結したものである。
【０００８】
請求項２の発明は、請求項１記載の照明器具において、前記複数の筒状の近接部を連結する複数の壁部材の各々は、一端側が一の近接部の器体中心寄りから延出され他端側が隣の近接部の外周寄りに連結されたものである。
【０００９】
請求項３の発明は、ランプソケットを設けた器具本体（器体という）と、前記ランプソケットに装着されるランプ口金部を有するランプと、前記器体に設けられて前記ランプの周囲を囲む反射鏡とを備えた照明器具において、前記ランプソケット付近を、器体内外の空気流動をほぼ生じない程度に器体にて覆うと共に、該器体にランプ口金部付近に近接させた近接部を形成し、前記近接部は、ランプ口金部の周囲を囲むように設けられ、複数の前記ランプソケットを備えると共に、前記器体は、これら複数のランプソケットに装着されたランプを一体的に覆い、かつ器体の前記近接部を複数のランプソケット毎に筒状に形成し、複数の近接部の器体中心側空間に、ランプソケット取付け面に当接して熱を伝導する熱伝導部を設けたものである。
【発明の効果】
【００１０】
請求項１の発明によれば、複数のランプの近接部を互いに連結しているので、複数灯のランプにより温度上昇した各ランプ中心部の熱の温度分布を均一化することができ、ランプベース部の温度上昇を低減できる。
請求項２の発明によれば、複数のランプの近接部は、各ランプの近接部の温度が高い中心部から隣接するランプの近接部の温度が低い外側部へと互いに連結しているので、近接部の温度分布を均一化することができ、ランプベース部の温度上昇を低減できる。
請求項３の発明によれば、複数のランプの近接部の中心部に、ランプソケット取付け面に当接して熱を伝導する熱伝導部を設けているので、ランプベース部の温度上昇を低減できる。
【図面の簡単な説明】
【００１１】
【図１】（ａ）は本発明の実施例１に係る照明器具の正面図、（ｂ）は半裁側面図、（ｃ）は一部拡大図。
【図２】（ａ）は本発明の実施例２に係る照明器具の平面図、（ｂ）は側断面図、（ｃ）は一部拡大図。
【図３】（ａ）は本発明の実施例３に係る照明器具の平面図、（ｂ）は半裁側面図。
【図４】（ａ）は同上実施例３における反射鏡の断面図、（ｂ）は反射鏡の外観図。
【図５】本発明の実施例４に係る照明器具の半裁断面図。
【図６】（ａ）は本発明の実施例５に係る照明器具の半裁拡大図、（ｂ）はその近接部の横断図。
【図７】（ａ）は本発明の実施例６に係る照明器具の正面図、（ｂ）は半裁側面図、（ｃ）は一部拡大図。
【図８】（ａ）は本発明の実施例７に係る照明器具の平面図、（ｂ）は半裁側面図。
【図９】本発明の実施例８に係る照明器具の半裁断面図。
【図１０】（ａ）は本発明の実施例９に係る照明器具の平面図、（ｂ）は半裁側面図。
【図１１】（ａ）は本発明の実施例１０に係る照明器具の平面図、（ｂ）は半裁側面図。
【図１２】（ａ）は本発明の実施例１１に係る照明器具の平面図、（ｂ）は半裁側面図。
【図１３】（ａ）は本発明の実施例１２に係る照明器具の平面図、（ｂ）は半裁側面図。
【図１４】（ａ）は同上実施例１２における反射鏡の断面図、（ｂ）は反射鏡の外観図。
【図１５】（ａ）（ｂ）（ｃ）（ｄ）はそれぞれ同上実施例９，１０，１１，１２における反射鏡の外観図。
【発明を実施するための形態】
【００１２】
以下、本発明の実施形態に係る照明器具を図面を参照して説明する。
＜実施例１＞
図１（ａ）（ｂ）は実施例１に係る照明器具の構成を示し、（ｃ）はその一部を拡大して示す。照明器具は、フレームとしての有天筒型の器具本体（以下、器体という）１と、器体１の内天面のランプソケット取付け面に設けられたランプソケット２と、ランプソケット２に装着された蛍光灯ランプ（ランプという）３と、器体１に取付けられランプ３の全周囲を覆う反射鏡４とを備えている。器体１は、ランプソケット２及びランプ３のランプ口金部３ａ（ランプベース部）の付近を、器体１の内外と空気流動が生じないように覆うと共に、ランプ口金部３ａの全周囲付近に近接させた近接部Ａを形成している。器体１のランプ口金部３ａ及びランプソケット２付近には放熱孔はなく、反射鏡４内すなわちランプ室内の器具下面からの空気の対流はなく、従って、器体１内の空気流動がほぼ生じないようにしている。
【００１３】
器体１及び反射鏡４は、アルミダイカスト製とされている。反射鏡４は、下端開口側の径が大きいラッパ状の筒形であり、器体１の有天筒型下端縁に反射鏡４の上縁をネジ５により固定している。器体１と反射鏡４とが一体的にアルミダイカスト製とされてもよい。器体１の有天筒型の天面には、安定器取付け兼器具取付け用板１ａ（取付け用板という）が固定され、この取付け用板１ａから門状に枠体１ｂが延設けされ、その下端部に反射鏡４の下端部が結合されている。取付け用板１ａ及び枠体１ｂは、器体１と共にフレームを構成する。照明器具は、枠体１ｂの下端近傍に設けられた器具取付けバネ部材７により天井６の取付け穴に固定される。取付け用板１ａの延出部には、安定器８が取付けられている。
【００１４】
本実施例によれば、器体１の近接部Ａがランプ口金部３ａの周囲を囲むように設けられているので、熱伝導が良好となりランプ光熱によるランプベース部の温度上昇を抑制できる。蛍光ランプの場合、ランプベース部の温度低下により、ランプ最冷点の温度も低減することになり、ランプの発光効率が上がり器具効率も上昇する。
【００１５】
＜実施例２＞
図２（ａ）（ｂ）は実施例２に係る照明器具の構成を示し、（ｃ）はその一部を拡大して示す。前述と同部材には同番号を付している（以下、同様）。この実施例２の照明器具は、ランプ３が横向きに配置されたタイプであり、フレームとしての器体１は、取付け用板１ａと、ソケットカバー１ｃと、ランプソケット２及びランプ口金部３ａの周囲を囲むと共にランプ口金部３ａに近接させた近接部Ａを含む。近接部Ａは、横向き有天筒型に形成され、その天面がソケットカバー１ｃに取付けられている。反射鏡４は取付け用板１ａに固定される。ソケットカバー１ｃは、反射鏡４と近接部Ａとの隙間を覆っている。これにより、ランプ口金部３ａ付近の器体１内の空気流動は、ほぼ生じない。本実施例においても、上記実施例１と同等の作用効果が得られる。
【００１６】
＜実施例３＞
図３（ａ）（ｂ）は実施例３に係る照明器具の構成を示し、図４（ａ）（ｂ）は反射鏡の構成を示す。この実施例３の照明器具は、複数（ここでは３個）のランプソケット２を備える。器体１は、これら複数のランプソケット２に装着されたランプ３を一体的に覆う反射鏡４と、複数のランプソケット２毎に筒状に形成され各ランプソケット２の周囲に近接した近接部Ａを備え、一体的にアルミダイカスト製とされている。この一体の器体１は、取付け用板１ａにブラケット１ｆを介在して取付けネジ５により固定される。筒状の近接部Ａの上端は取付け用板１ａに熱伝導可能に接し、ランプ口金部３ａ付近の器体１内の空気流動は、ほぼ生じないものとなっている。本実施例においても、上記実施例１と同等の作用効果が得られる。
【００１７】
＜実施例４＞
図５は実施例４に係る照明器具の構成を示す。この実施例２の照明器具は、ランプ３としてハロゲンランプを用いており、器体１は、ランプソケット２を設けた取付け用板１ａと、円筒状の枠体１ｂと、ランプ室を形成する傘状の反射鏡４とから成る。反射鏡４は、その下端部が枠体１ｂの下端部に結合され、開口には前面ガラス１１が取付けられている。反射鏡４の上端部は、ランプ口金部３ａに近接して近接部Ａを構成している。１２は端子台である。この構成により、ランプ口金部３ａの熱は、近接部Ａを通して伝導放熱され、また、ランプ口金部３ａ付近の器体１内の空気流動は、ほぼ生じないものとなっている。本実施例においても、上記実施例１と同等の作用効果が得られる。
【００１８】
＜実施例５＞
図６（ａ）（ｂ）は実施例５に係る照明器具の要部構成を示す。この実施例２において、上記実施例１と相違する点は、器体１の近接部Ａがランプ口金部３ａの周囲に沿う円筒状とされ、器体１とランプソケット２及びランプ口金部３ａとの間に熱伝導の良好なシリコンパッキン１３を装入又は充填したことである。その他の構成は、実施例１と同等であるので、全体図は省いている。この構成により、ランプ口金部３ａとランプソケット２を、シリコンパッキン１３を介して器体１の近接部Ａに近接させ、熱伝導を上げ、かつ、ランプ口金部３ａ付近で器体１内の空気流動がほぼ生じないようにした。本実施例においても、ランプ口金部３ａの温度をより効果的に低減可能である。
【００１９】
＜実施例６＞
図７（ａ）（ｂ）（ｃ）は実施例６に係る照明器具の要部構成を示す。この実施例６において、上記実施例１と相違する点は、器体１の近接部Ａが、ランプ口金部３ａ及びランプソケット２のそれぞれの周囲に沿う段階状の円筒とされていることである。ここに、ランプ口金部３ａの方がランプソケット２よりも径寸法が大きいことから、近接部Ａは、上方のランプソケット２側が小径で、下方のランプ口金部３ａ側が大径の段階状とされている。また、近接部Ａの高さ寸法も、ほぼ、小径部がランプソケット２の高さ寸法とされ、大径部がランプ口金部３ａの高さ寸法とされる。本実施例においても、上記実施例１と同等の作用効果が得られる。
【００２０】
＜実施例７＞
図８（ａ）（ｂ）は実施例７に係る照明器具の構成を示す。この実施例７において、上記実施例１と相違する点は、器体１が、反射鏡４と一体的にアルミダイカスト製にて構成され、ランプ口金部３ａ及びランプソケット２を覆ってランプ口金部３ａに近接する近接部Ａを持つことである。そして、器体１のランプ口金部３ａより上方は、ランプ口金部３ａの部分Ａ１より外形の大きい拡大部Ａ２を設けている。この構成においても、ランプ口金部３ａの熱は近接部Ａに伝導し、かつ、ランプ口金部３ａ付近では器体１内の空気流動がほぼ生じないものとなり、上記実施例１と同等の作用効果が得られる。
【００２１】
＜実施例８＞
図９は実施例８に係る照明器具の構成を示す。この実施例８において、上記実施例７と相違する点は、アルミダイカスト製の器体１の近接部Ａが、ランプ口金部３ａに近接する部分Ａ１と、ランプソケット２に沿う拡大部Ａ２とから成ることである。この拡大部Ａ２は、内周面がランプソケット２に近接し、外周面は大径化し、本例では肉厚とされている。この構成においても、ランプ口金部３ａ付近では器体１内の空気流動がほぼ生じないものとなり、上記実施例と同等の作用効果が得られる。
【００２２】
＜実施例９＞
図１０（ａ）（ｂ）は実施例９に係る照明器具の構成を示す。この実施例９の照明器具は、前述した実施例３と同様に、３個のランプソケット２と、ランプソケット２に装着されたランプ３を覆う反射鏡４と共に一体的にアルミダイカスト製とされた器体１を備え、器体１は各ランプ口金部３ａに近接する筒状の近接部Ａを備えている。実施例３と相違する点は、これら近接部Ａを一体形成の壁部材Ｂにより互いに連結したことである。壁部材Ｂは、相隣り合う近接部Ａの中心を結ぶ面上にある。また、器体１の近接部Ａ及び壁部材Ｂの上端部は取付け用板１ａに熱伝導可能に当接している。近接部Ａにより、ランプ口金部３ａ付近で器体内の空気流動はほぼ生じないようにしている。アルミダイカスト製の反射鏡４と一体の器体１は、図１５（ａ）に示すような形態とされている。
【００２３】
この構成により、複数のランプにより温度上昇した各ランプ中心部の熱の温度分布を均一化することができ、ランプ口金部３ａの温度上昇を低減できる。本実施例は、３本のランプ構成に捉われず、２本以上のランプ構成に適用可能であり、以下の複数のランプを持つ実施例も同様である。
【００２４】
＜実施例１０＞
図１１（ａ）（ｂ）は実施例１０に係る照明器具の構成を示す。この実施例１０において、上記実施例９と相違する点は、器体１の複数の近接部Ａを形成する部分を大径化し、その大径部がランプソケット取付け面である取付け用板１ａとの接触面積を大きくし、熱伝導を上げている。アルミダイカスト製の反射鏡４と一体の器体１は、図１５（ｂ）に示すような形態とされている。この構成により、ランプ口金部３ａの温度上昇を低減できる。
【００２５】
＜実施例１１＞
図１２（ａ）（ｂ）は実施例１１に係る照明器具の構成を示す。この実施例１１は、上述の実施例９の変形例であり、複数の筒状の近接部Ａを連結する複数の壁部材Ｃが上記とは相違する。壁部材Ｃの各々は、一端側が一の近接部の器体中心寄りから延出され、他端側が隣の近接部の外周寄りに連結されている。アルミダイカスト製の反射鏡４と一体の器体１は、図１５（ｃ）に示すような形態とされている。この構成により、複数の近接部Ａの温度分布を均一化することができ、ランプ口金部３ａの温度上昇を低減できる。
【００２６】
＜実施例１２＞
図１３（ａ）（ｂ）は実施例１２に係る照明器具の構成を、図１４は反射鏡の構成を示す。この実施例１２は、上述の実施例９のさらに他の変形例であり、複数の近接部Ａの器体中心側空間に、ランプソケット取付け面である取付け用板１ａに当接して熱を伝導する熱伝導部Ｄを設けた。この熱伝導部Ｄは、近接部Ａ及び反射鏡４と共に器体１として一体に形成されている。アルミダイカスト製の反射鏡４と一体の器体１は、図１５（ｄ）に示すような形態とされている。この構成により、上記と同様、複数の近接部Ａの温度分布を均一化することができ、ランプ口金部３ａの温度上昇を低減できる。
【００２７】
本発明は、上記実施例の構成に限られることなく、発明の趣旨を変更しない範囲で種々の変形が可能である。例えば、本発明は、ハロゲン電球、蛍光灯、ＨＩＤランプなどのランプバルブとソケットとの間に口金部を備える片口金ランプにおいて適用可能である。
【００２８】
特に、アマルガムタイプの蛍光灯用器具においては、室内に設置された空調設備と換気扇による、給気、換気のバランスが崩れた場合に、照明器具内に空気の対流が生じ、ランプ口金部に設けられたアマルガム部が急激に冷却されて著しい温度低下を来たすこととなり、蛍光灯ランプの光束が低下する。これを防ぐには、器体内の対流の発生をなくす必要があるが、器体１を単純に密閉し、又は前面にパネルを取付けるだけでは、ランプのアマルガム温度が大きく上昇して器具の発光効率が悪くなる。その点、本発明の構成を採用することで、ランプ口金部の温度低減を図れ、器具の発光効率改善に有効となる。
【符号の説明】
【００２９】
１  器具本体（器体）
１ａ  取付け用板
２  ランプソケット
３  蛍光灯ランプ（ランプ）
３ａ  ランプ口金部
４  反射鏡
Ａ  近接部
Ａ２  拡大部
Ｂ，Ｃ  壁部材
Ｄ  熱伝導部
【図１】
0004626711.tif 000002
【図２】
0004626711.tif 000003
【図３】
0004626711.tif 000004
【図４】
0004626711.tif 000005
【図５】
0004626711.tif 000006
【図６】
0004626711.tif 000007
【図７】
0004626711.tif 000008
【図８】
0004626711.tif 000009
【図９】
0004626711.tif 000010
【図１０】
0004626711.tif 000011
【図１１】
0004626711.tif 000012
【図１２】
0004626711.tif 000013
【図１３】
0004626711.tif 000014
【図１４】
0004626711.tif 000015
【図１５】
0004626711.tif 000016